(57)【要約】【課題】ダブルニードル列経編機により一体編成するショーツにおいて、編成後の裁断形状を工夫して一部を縫製することにより、股部の前後部にゆとりを持たせるようにする。【解決手段】前後一方のニードル列で胴部左側部２ａと左側脚部４ａからなる左側半部５ａを、他方のニードル列で胴部右側部２ｂと右側脚部４ｂからなる右側半部５ｂをそれぞれ編成し、胴部左側部２ａと胴部右側部２ｂとを胴部２の前後で接結して筒編し、左側脚部４ａと右側脚部４ｂをそれぞれ別に編成し、前後の接結編部分６，７の端部に連続して裁断するとともに、この前後の裁断縁４ａ−１，４ａ−２，４ｂ−１，４ｂ−２の少なくとも一方を、これ連続する接結編部分より編地内方へ湾入させてこの裁断縁を脚部内側で縫製することにより、股部３付近の前後部にゆとりをもたせる。【選択図】図２
2010196185.tif 000002
【特許請求の範囲】
【請求項１】
胴部と、該胴部に股部を介して連続する左右脚部とを有するショーツであって、ダブルニードル列経編機により筒編を主体に編成されてなり、
前後一方のニードル列で胴部左側部と左側脚部とからなる左側半部が、他方のニードル列で胴部右側部と右側脚部とからなる右側半部がそれぞれ編成され、前記左側半部と右側半部は、胴部左側部と胴部右側部とが、胴部の前後で接結編されることにより筒編され、また前記左側脚部と右側脚部がそれぞれ別に編成されて、前記胴部前後の接結編部分に連続して裁断されるとともに、前後の裁断縁の少なくとも一方がこれに連続する前記接結編部分より内方へ湾入しており、左右脚部それぞれの前後の裁断縁が脚部内側で縫製されることにより、前記股部付近の前後部の少なくとも一方にゆとりが形成されてなることを特徴とする一部縫製立体編ショーツ。
【請求項２】
前記胴部左側部と胴部右側部との後側の接結編部分が、胴部上端の開口縁部から股部に向かって編上がりの編地外側に斜めに接結編されるとともに、該接結編部分から続く左右脚部の後側の裁断縁が接結編部分より内方へ湾入しており、また前記胴部左側部と胴部右側部との前側の接結編部分が、胴部上端の開口縁部から股部に向かって編上がりの編地内方に湾入して接結編されるとともに、前側の接結編部分の端縁から続く左右脚部の前側の裁断縁が前側の接結編部分より編地外側にあって、左右脚部それぞれの前後の裁断縁が縫製されることにより前記股部の前後部双方にゆとりが形成されてなる請求項１に記載の一部縫製立体編ショーツ。
【請求項３】
前記胴部上端の開口縁部と左右脚部下端の開口縁部がそれぞれ縁始末不要に形成されてなる請求項１または２に記載の一部縫製立体ショーツ。
【請求項４】
胴部と、該胴部に股部を介して連続する左右脚部とを有するショーツの製造方法であって、
ダブルニードル列経編機を用いて、前後一方のニードル列で胴部左側部と左側脚部とからなる左側半部を、他方のニードル列で胴部右側部と右側脚部とからなる右側半部を、それぞれ編成し、この左側半部と右側半部とは、胴部上端の開口縁部と左右脚部の開口縁部をそれぞれ製品領域の編幅方向端部に位置させるように横向きにして、前記胴部左側部と胴部右側部を胴部の前後部中央に相当する部分で接結して筒編するとともに、前記左側脚部と右側脚部とをそれぞれ別に編成しておいて、編成後に、前記前記胴部左側部と胴部右側部を前後の接結編部分の端に沿って裁断するとともに、左右脚部をそれぞれ前後の接結編部分の裁断端に連続して所定の輪郭をなすように、かつ、前後の裁断縁の少なくとも一方をこれに連続する前記接結編部分の裁断端より内方へ湾入させて裁断して、左右脚部それぞれの前後の裁断縁を脚部内側で縫製することを特徴とする一部縫製立体編ショーツの製造方法。
【請求項５】
前記左側半部と右側半部とよりなるショーツ製品部材を、編幅方向で複数並列させて編方向に連続して編成するとともに、各列の製品領域の間で分離可能に編成する請求項４に記載の一部縫製立体編ショーツの製造方法。
【発明の詳細な説明】
【技術分野】
【０００１】
本発明は、ダブルニードル列の経編機により編成される一部縫製立体編ショーツとその製造方法に関するものである。
【背景技術】
【０００２】
ダブルニードル列経編機（ダブルラッシェル機）により、無縫製の筒編衣料製品あるいは縫製を殆ど必要としない筒編衣料製品を編成することは公知である。
【０００３】
例えば、特許文献１には、前後のニードル列により前後の編地を一部で接結する所謂筒編を行って、筒編衣料であるショーツを機上で一体に連続して編成する方法が示されているが、前後のニードル列により前後の編地が編成されるために、これによって製造された編地は扁平なものであって立体性に乏しく、編地特有の伸縮性あるいは弾性糸を使用することにより伸縮性はあっても、体型に応じたゆとりがないため、着用状態において股部や臀部を締め付けることになり、満足する着用感が得られないものである。
【０００４】
また、特許文献２には、ショーツ等の一体成形袋状経編地の製造において、筒編部分の筒方向を編方向にして、一単位の袋状経編地を編幅方向に複数を連結してかつ編方向に繰り返し連続して編成後、カットして各単位に分離するときに捨て部分をなくすように形状変化部を形成することが示されているが、この場合にも、股部や臀部の体型に応じたゆとりを持たせるものではなく、満足する着用感が得られないものである。
【０００５】
さらに、特許文献３には、横編による無縫製のニットパンツにおいて、股下部にゆとりを持たせるために、横編機の編成で可能な目増やし、目減らしの手法を用いて編成することが示されているが、ダブルニードル列経編機による経編編成により編成するショーツにおいて、股部等にゆとりを持たせるものではない。
【先行技術文献】
【特許文献】
【０００６】
【特許文献１】特開昭６２−１０４９０１号公報
【特許文献２】特開２００１−３０３４１２号公報
【特許文献３】特開２００３−２７８００１号公報
【発明の概要】
【発明が解決しようとする課題】
【０００７】
本発明は、上記に鑑みてなしたものであり、ダブルニードル列経編機により筒編により一体編成するショーツにおいて、編成後の裁断形状を工夫して一部を縫製することにより、股部の前後部の少なくとも一方にゆとりを持たせるようにした一部縫製立体編ショーツを提供するものである。
【課題を解決するための手段】
【０００８】
上記の課題を解決する本発明は、胴部と、該胴部に股部を介して連続する左右脚部とを有するショーツであって、ダブルニードル列経編機により筒編を主体に編成されてなり、前後一方のニードル列で胴部左側部と左側脚部とからなる左側半部が、他方のニードル列で胴部右側部と右側脚部とからなる右側半部がそれぞれ編成され、前記左側半部と右側半部は、胴部左側部と胴部右側部とが、胴部の前後で接結編されることにより筒編され、また前記左側脚部と右側脚部がそれぞれ別に編成されて、前記胴部前後の接結編部分に連続して裁断されるとともに、前後の裁断縁の少なくとも一方がこれに連続する前記接結編部分より内方へ湾入しており、左右脚部それぞれの前後の裁断縁が脚部内側で縫製されることにより、前記股部付近の前後部の少なくとも一方にゆとりが形成されてなることを特徴とする一部縫製立体編ショーツである。
【０００９】
前記の一部縫製立体編ショーツにおいて、前記胴部左側部と胴部右側部との後側の接結編部分が、胴部上端の開口縁部から股部に向かって外側に斜めに接結編されるとともに、該接結編部分から続く左右脚部の後側の裁断縁が内方へ湾入しており、また前記胴部左側部と胴部右側部との前側の接結編部分が、胴部上端の開口縁部から股部に向かっ内方に湾入して接結編されるとともに、該接結編部分から続く左右脚部の前側の裁断縁が該接結編部分より外側にあって、左右脚部それぞれの前後の裁断縁が縫製されることにより前記股部の前後部双方にゆとりが形成されてなるものとすることができる。
【００１０】
また、前記の一部縫製立体編ショーツにおいて、前記胴部上端の開口縁部と左右脚部下端の開口縁部がそれぞれ縁始末不要に形成されてなるものとすることができる。
【００１１】
また、前記の一部縫製立体編ショーツにおいて、胴部と、該胴部に股部を介して連続する左右脚部とを有するものとすることができる。
【００１２】
本発明は、前記の一部縫製立体編ショーツを製造する方法として、ダブルニードル列経編機を用いて、前後一方のニードル列で胴部左側部と左側脚部とからなる左側半部を、他方のニードル列で胴部右側部と右側脚部とからなる右側半部を、それぞれ編成し、この左側半部と右側半部とは、胴部上端の開口縁部と左右脚部の開口縁部をそれぞれ製品領域の編幅方向端部に位置させるように横向きにして、前記胴部左側部と胴部右側部を胴部の前後部中央に相当する部分で接結して筒編するとともに、前記左側脚部と右側脚部とをそれぞれ別に編成しておいて、編成後に、前記前記胴部左側部と胴部右側部を前後の接結編部分の端に沿って裁断するとともに、左右脚部をそれぞれ前後の接結編部分の裁断端に連続して所定の輪郭をなすように、かつ、前後の裁断縁の少なくとも一方をこれに連続する前記接結編部分の裁断端より内方へ湾入させて裁断して、左右脚部それぞれの前後の裁断縁を脚部内側で縫製することを特徴とする。
【００１３】
前記の一部縫製立体編ショーツを造する方法において、前記左側半部と右側半部とよりなるショーツ製品部材を、編幅方向で複数並列させて編方向に連続して編成するとともに、各列の製品領域の間で分離可能に編成することができる。
【発明の効果】
【００１４】
上記したように本発明によれば、ダブルニードル列経編機により筒編により一体編成するショーツとして、股部の前後部の少なくとも一方にゆとりを持たせることができ、着用感の良好なショーツを提供できる。
【図面の簡単な説明】
【００１５】
【図１】本発明のショーツの略示斜視図である。
【図２】本発明のショーツとする左側半部と右側半部とよりなるショーツ製品部材の裁断後の略示斜視図である。
【図３】同上のショーツ製品部材の縫製前の略示斜視図である。
【図４】同上のショーツ製品部材の縫製後の略示斜視図である。
【図５】本発明のショーツの編成状態の略示平面図である。
【図６】同上のショーツ製品部材の左側半部を示す略示平面図である。
【発明を実施するための形態】
【００１６】
次ぎに本発明の実施の形態を図面に示す実施例に基づいて説明する。
【００１７】
図１に示すように、本発明のショーツ１は、胴部２と、該胴部２に股部３を介して連続する左右脚部４ａ，４ｂとを有してなる。図中の符号１１は弾性糸等を編み込んで伸縮力を強くした腹当て部を示し、１２は弾性糸等の挿入して伸縮力等の機能性を付与した帯状領域を示している。
【００１８】
前記のショーツ１は、前部ニードル列と後部ニードル列とを有するダブルニードル列経編機（ダブルラッシェル機）により筒編を主体に編成され、前後一方のニードル列、例えば前部のニードル列で胴部左側部２ａと左側脚部４ａとからなる左側半部５ａが、他方の例えば後部のニードル列で胴部右側部２ｂと右側脚部４ｂからなる右側半部５ｂがそれぞれ編成されている。図において、符号の１０は前記左側半部５ａと右側半部５ｂとからなるショーツ製品部材を示している。
【００１９】
前記ショーツ製品部材１０における前記左側半部５ａと右側半部５ｂは、胴部左側部２ａと胴部右側部２ｂとが、胴部２の前後中央部に相当する個所でそれぞれ接結編されることにより、該の形状線がショーツ形状に対応した輪郭をなすように筒編され、編成後に、それぞれ前記胴部左側部２ａと胴部右側部２ｂが前後の接結編部分６、７の端縁に沿って裁断されている。図の場合は、図２及び図６のように、編上がりの扁平な状態において、後側の接結編部分７の形状線が、胴部上端の開口縁部８から股部３に向かって編上がりの半部編地の外側に斜めに略直線状に接結編され、また、前側の接結編部分６の形状線が、胴部上端の腹当て部１１による開口縁部８の個所から股部３に向かって前記半部編地の外側へ湾曲して張り出すように接結編されている。また、前記左側脚部４ａと右側脚部４ｂとは、それぞれ前後のニードル列で接結されることなく、つまり筒編されることなく別編地として編成されて、後述のように裁断され縫製されている。
【００２０】
すなわち、前記ショーツ製品部材１０は、前記左側半部５ａと右側半部５ｂとが、胴部２の領域では筒編され、左側脚部４ａと右側脚部４ｂの領域では非接結状態で編成されている。そして、前記胴部左側部２ａと胴部右側部２ｂの前後の接結編部分６、７の前記形状線に沿って裁断されるとともに、前記左側脚部４ａと右側脚部４ｂとが、胴部前後の接結編部分６，７の形状線の端部から連続して脚側の開口縁部９ａ，９ｂに向かって裁断されるとともに、前後の裁断縁４ａ−１，４ａ−２，４ｂ−１，４ｂ−２の少なくとも一方、例えば図のように後側の裁断縁４ａ−２，４ｂ−２が、前記接結編部分７の形状線より編上がり半部編地内方側へ湾入しており、左右脚部４ａ，４ｂそれぞれの前後の裁断縁４ａ−１，４ａ−２，４ｂ−１，４ｂ−２が股部３から連続する脚部内側で縫製されることにより、ショーツ１の前記股部３付近の前後部の少なくとも一方に、膨らみを持ってゆとりが形成され、立体状をなしている。
【００２１】
図示する場合は、前記胴部左側部２ａと胴部右側部２ｂとの後側の接結編部分７が、胴部上端の開口縁部８から股部３に向かって編上がりの半部編地外側に斜めに接結編されるとともに、該接結編部分７から続く左右脚部４ａ，４ｂの後側の裁断縁４ａ−２，４ｂ−２が接結編部分７より前記半部編地内方へ湾入しており、また前記胴部左側部２ａと胴部右側部２ｂとの前側の接結編部分６が、胴部上端の開口縁部８の部分から股部３に向かって前記半部編地の内方に湾入して接結編されるとともに、前側の接結編部分６の形状線の端縁から続く左右脚部４ａ，４ｂの前側の裁断縁４ａ−１，４ｂ−１が前側の接結編部分６より前記半部編地外方側にあって、左右脚部４ａ，４ｂそれぞれの前後の裁断縁４ａ−１，４ａ−２，４ｂ−１，４ｂ−２が縫製されることにより、図１のショーツ１において前記股部３の前後部の双方にゆとりが形成され立体状をなしている。こうして縫製されたショーツ１は内側面を表面にするように裏返して着用使用される。
【００２２】
前記のショーツ１は、ダブルニードル列経編機による前記ショーツ製品部材１０の編成において、該ショーツ製品部材１０を編機上で横向きにして編成し、製品領域の編幅方向の両端部に、胴部側の開口縁部８と、脚部側の開口縁部９ａ，９ｂを位置させて、隣接する編生地部分との分離可能に編成することにより、前記胴部上端の開口縁部８と左右脚部下端の開口縁部９ａ，９ｂをそれぞれ縁始末を不要に形成しておくことができる。
【００２３】
すなわち、上記ショーツ１の製造において、ダブルニードル列経編機による前記ショーツ製品部材１０の編成では、前後一方のニードル列で左側半部５ａを、他方のニードル列で右側半部５ｂを編成するもので、この際、図５のように、ショーツ製品部材１０に相当する製品領域の編幅方向端部に前記胴部側の開口縁部８と、脚部側の開口縁部９ａ，９ｂを位置させて、かつ編幅方向で複数並列させて、かつ各列の製品領域の間で分離可能に編方向に繰り返し連続して編成する。図５及び図６では、便宜的に左側半部５ａのみを図示しているが、右側半部５ｂが該左側半部５ａと対称同形をなして重ねて編成されるのは言うまでもない。
【００２４】
前記ショーツ製品部材１０の編成では、前記胴部左側部２ａと胴部右側部２ｂを胴部２の前後部中央に相当する部分で接結編して筒編するとともに、前記左側脚部４ａと右側脚部４ｂに相当する部分をそれぞれ別に接結することなく編成する。１３は接結編の領域を示し、該接結編の領域１３の編方向の両端部分が、前記ショーツ１における前後の接結編部分６．７による形状線となり、編成後に、該形状線に沿って前記した形状をなすように裁断される。
【００２５】
また、前記左側脚部４ａ（右側脚部４ｂ）に相当する部分を含む領域は、捨て部となる不要部分を含めて筒編することなく編成する。編成後に、それぞれ前後の接結編部分６，７の形状線の端部に連続して前記した所定の輪郭をなすように、前後の裁断縁４ａ−１，４ａ−２（４ｂ−１，４ｂ−２）に相当するライン（破線１４）で裁断する。これにより、図６及び図２のように裁断されたショーツ製品部材１０を得ることができる。これを図４のように前記裁断縁４ａ−１，４ａ−２（４ｂ−１，４ｂ−２）に沿って縫製することにより、裁断縁輪本発明の立体編ショーツ１を得ることができる。通常、縫製された前記裁断縁４ａ−１，４ａ−２（４ｂ−１，４ｂ−２）を内側にするように裏返して製品とする。なお、前記の裁断及び縫製は、編成後の洗浄、ヒートセット等の仕上げ加工処理の後で行われる。
【００２６】
また、前記の編成において、ショーツ製品部材１０の製品領域の列毎の分離の手段としては、糸の切断や溶解を利用することも可能であるが、実施上は、例えば各列毎の製品領域の編幅方向端部と、これに隣接する別の製品領域あるいは耳部等の他の編生地部分の編方向端部との間に、分離のための解き用編糸を編み込んでおいて、解き作用により分離できるように構成するのが好ましく、これにより、ヒートセット等の仕上げ加工処理において所定の編幅を確保でき、また開口縁部の縁始末処理を不要にもできる。
【００２７】
さらに、前記の編成において、開口縁部８及び９ａ，９ｂ等には必要に応じて、弾性糸や補強糸を編みこんで、伸縮力を強くすることもできる。
【００２８】
上記したように本発明の一部縫製立体編ショーツ１は、ダブルニードル列経編機により筒編を主体として一体編成でき、しかも編成後の裁断形状を工夫して一部を縫製することにより、股部の前後部の少なくとも一方にゆとりを持たせることがてきる。このため、下腹部や臀部及び股部等を過度に締め付けることのない着用感の良好なショーツを提供することができる。
【符号の説明】
【００２９】
１…ショーツ、２…胴部、２ａ…胴部左側部，２ｂ…胴部右側部、３…股部、４ａ…左側脚部、４ｂ…右側脚部、５ａ…左側半部、５ｂ…右側半部、６，７…接結編部分、８…胴部側の開口縁部、９ａ，９ｂ…脚部側の開口縁部、１０…ショーツ製品部材、１ａ，１ｂ…腹当て部、１１…腹当て部、１２…機能性を付与した帯状領域。
【図１】
2010196185.tif 000003
【図２】
2010196185.tif 000004
【図３】
2010196185.tif 000005
【図４】
2010196185.tif 000006
【図５】
2010196185.tif 000007
【図６】
2010196185.tif 000008
【手続補正書】
【提出日】平成21年3月30日(2009.3.30)
【手続補正１】
【補正対象書類名】図面
【補正対象項目名】全図
【補正方法】変更
【補正の内容】
【図１】
2010196185.tif 000009
【図２】
2010196185.tif 000010
【図３】
2010196185.tif 000011
【図４】
2010196185.tif 000012
【図５】
2010196185.tif 000013
【図６】
2010196185.tif 000014